(57)【要約】シャツのような衣服に、隠れて取り込まれた浮き袋が組み込まれ、浮き袋は緊急時に膨張させることができる。シャツはファッショナブルな外観であり、浮力装置は危険を冒した水に入ったりする人々にとってより魅力的となるように浮力機能は隠されている。
2005520060.tif 000002
【特許請求の範囲】
【請求項１】
シャツと浮揚装置の組合せであって、
（ａ）連続する胴、襟、及びアームホールを備えるシャツと、
（ｂ）前記シャツの胸及び前後の襟領域を覆うインナーライニング又はアウターオーバーレイからなる区画室と、
（ｃ）前記区画室への出入りを提供するための手段と、
（ｄ）前記区画室に挿入するための浮き袋装置と、
（ｅ）前記シャツの着用者を浮揚支持するために、前記浮き袋を手動及び／又は自動で膨張させる手段と
を備える、組合せ。
【請求項２】
前記区画室への出入りは、前記区画室の周囲に位置する閉鎖可能な開口により提供される、請求項１に記載の組合せ。
【請求項３】
前記浮き袋は襟囲繞部と連通する２つの分離された胸部を備える、請求項１に記載の組合せ。
【請求項４】
前記浮き袋の前記襟囲繞部は平面視で前記胸部よりも幅狭である、請求項３に記載の組合せ。
【請求項５】
前記浮き袋の前部に、前記浮き袋を手動で膨張させるための弁と、ガスシリンダにより前記浮き袋を自動的に膨張させるためのアクチュエータとが設けられている、請求項１から請求項４のいずれか１項に記載の組合せ。
【請求項６】
前記弁及び前記アクチュエータは、ポケット又はフランジにより視界から隠されている、請求項５に記載の組合せ。
【請求項７】
前記シャツはティーシャツ又はポロシャツ型のシャツである、請求項１に記載の組合せ。
【請求項８】
前記区画室の直下に位置する引張装置の周囲に補足されたラップを備える、請求項１に記載の組合せ。
【請求項９】
前記引張装置は紐である、請求項８に記載の組合せ。
【請求項１０】
前記引張装置はストラップを含む、請求項８に記載の組合せ。
【請求項１１】
前記引張装置は前記着用者の下側の肋骨の領域に一致して設けられている、請求項８に記載の組合せ。
【請求項１２】
前記引張装置は前記着用者の腰の領域に一致して設けられている、請求項８に記載の組合せ。
【請求項１３】
前記閉鎖可能な開口は、前記襟の領域に隣接する前記シャツの後側に位置している、請求項１に記載の組合せ。
【発明の詳細な説明】
【技術分野】
【０００１】
本発明は、浮力衣類（buoyancy garment）に関する。
【背景技術】
【０００２】
容易に入手可能で比較的低価格のライフベスト（buoyancy aid）があるにもかかわらず、水溺による事故死はありふれている。
【０００３】
ほとんどのライフベストは着用者の胸の領域の周囲に着用され、ほとんどのものが分厚く、かつ非常に目立つ。
【０００４】
サーフィン、カヤック、ウィンドサーフィン等のような水上競技では、自由に活動に加わるために、参加者の活動及び腕の自由度が高いことが要求され、この理由から分厚く、ないしは窮屈な浮力装置は好まれない。
【０００５】
特に若者に影響を与える水上での安全の自覚を人々にさらに促す上での他の問題としては、イメージの問題がある。
【０００６】
危険な状況であっても、ボードライダーが浮力装置を着用しているのを見るのは非常にまれであり、これはうぬぼれの問題に起因する明白な結果を伴う。
【０００７】
浮力装置が隠れている程、浮力装置は受け入れられるであろう。
【０００８】
着用型の浮揚装置について多くの提案と、衣類と結合して着用される増設ないしはアッドオン（add-on）型の浮遊装置についてのいくつかの提案がなされている。
【０００９】
英国特許第２，１８３，５５４号、米国特許第５，８３９，９３３号、米国特許第３１６,４５４号、及び米国特許第１，４２８，１５１号には、専用の衣類型の浮揚装置の例が記載されている。
【００１０】
米国特許第６，２３１，４１１号には、膨張可能なチャンバが組み込まれていることを隠すために、ショートパンツ、ズボン、水泳用のスーツやシャツのようなカジュアルな衣料の見た目を用いたファッショナブルな救命装置が記載されている。
【００１１】
国際出願ＰＣＴ／Ｕ９８／０００９２には、緊急事態において浮揚支持を提供するためにウエットスーツのような衣類の下に目立たずに挿入可能な、上半身を支持する浮き袋が記載されている。
【００１２】
本発明の目的は、水上安全を向上するために、一般的な衣類の形態の浮力装置を提供することにある。
【００１３】
本発明の他の目的は、可能な限りファッショナブルな外観を有し、浮力装置であるということが隠される、浮力装置を提供することにある。
【００１４】
他の目的及び利点は、例示としてのみ与えられる以下の説明からより明らかとなる。
【発明の開示】
【００１５】
本発明によれば、シャツと浮揚装置の組合せであって、
（ａ）連続する胴、襟、及びアームホールを備えるシャツと、
（ｂ）前記シャツの胸及び前後の襟領域を覆うインナーライニング又はアウターオーバーレイからなる区画室と、
（ｃ）前記区画室へのアクセスないしは出入りを提供するための手段と、
（ｄ）前記区画室に挿入するための取り外し可能な浮き袋と、
（ｅ）前記シャツの着用者を浮揚支持するために、前記浮き袋を手動及び／又は自動で膨張させる手段と
を備える、組合せが提供される。
【００１６】
前記区画室への出入りは、前記区画室の周囲に位置する閉鎖可能な開口により提供される。
【００１７】
前記浮き袋は襟囲繞部と連通する２つの分離された胸部を備えていてもよい。
【００１８】
前記浮き袋の前記襟囲繞部は平面視で前記胸部よりも幅狭であってもよい。
【００１９】
前記浮き袋の前部に、前記浮き袋を手動で膨張させるための弁と、ガスシリンダにより前記浮き袋を自動的に膨張させるためのアクチュエータとが設けられていてもよい。
【００２０】
前記弁及び前記アクチュエータは、ポケット又はフランジにより視界から隠されていてもよい。
【００２１】
前記シャツはティーシャツ又はポロシャツ型のシャツであってもよい。
【００２２】
引張装置の周囲の補足されたラップ（captured wrap）は、前記区画室の直下に位置してもよい。
【００２３】
前記引張装置は紐であってもよい。
【００２４】
前記引張装置はストラップ（straps）を含んでもよい。
【００２５】
前記引張装置は前記着用者の下側の肋骨の領域に一致して設けられてもよい。
【００２６】
前記引張装置は前記着用者の腰の領域に一致して設けられてもよい。
【００２７】
前記閉鎖可能な開口は、前記襟の領域に隣接する前記シャツの後側に位置してもよい。
【発明を実施するための最良の形態】
【００２８】
添付図面を参照して、本発明の態様を説明する。
【００２９】
図面を参照すると、本発明の浮力衣類は、矢印１で示すシャツと、矢印２で示す浮き袋の形態の浮揚装置の組合せを備える。
【００３０】
シャツの胸及び肩の領域は浮嚢ないしは浮き袋（bladder）を挿入可能なコンパートメントないしは区画室（compartment）３を提供しており、この区画室はインナーライニング又はアウターオーバーレイにより形成される。
【００３１】
図示の例では、区画室はインナーライニングにより形成されている。
【００３２】
浮力衣類は、区画室に対して浮き袋を挿入及び取り外しするための、開放及び閉鎖が可能な開口（opening）３を備えている。
【００３３】
区画室の周囲を取り囲む他の開口が配置されていてもよい。
【００３４】
開口はジッパ、ベルクロ、止め金具（stud）又はその他の好適な一時的な閉鎖手段であり、開放と閉鎖が可能である。
【００３５】
図示の例では、開口３はシャツ１の背面に設けられ、シャツ１の襟５と胴６の間に延びている。
【００３６】
浮き袋が区画室にぴったりと合うように、浮き袋２と区画室３は相補的な形状を有する。
【００３７】
浮き袋２は、首囲繞部８で連通する２つの別個の独立した胸部７を有する。
【００３８】
浮き袋２は、吹込チューブと一方向弁９や、膨張ガス缶１０と起動紐１１を含む膨張手段により膨らませることができる。
【００３９】
吹込チューブと一方向弁９は、浮き袋の胸部７に位置し、シャツ１のポケットの位置と一致する。
【００４０】
シャツの肋骨の直ぐ下の領域及び／又はシャツの下裾に締付紐１２を設けてもよい。この締付紐１２はシャツの裾に装着してもよい。
【００４１】
機能的な目的を隠したファッショナブルな衣料を提供するという本発明の目的に従って、シャツに対してアンダーレイを固定し、かつ区画室の外側の周囲を画定するシャツの袖の端部及び／又は裾に一致する装飾ストライプ（stripes）１３を、シャツに設けてもよい。
【００４２】
シャツはいかなる好適な織物ないしは材料からなるものでもよく、「ティーシャツ」又は「ポロシャツ」のようなありふれたスタイルでよい。
【００４３】
浮き袋は、縫製、接着や熱による封着、又は超音波融着が可能な、樹脂、ＵＶ耐性織物、ＰＶでコーティングしたナイロン織物、又はナイロンでコーティングしたネオプレンから製造することができる。
【００４４】
吹込チューブとガス膨張装置を隠すために、ポケットないしはフラップ１４を設けてもよい。
【００４５】
図５及び図６は、それぞれ使用者が手動で浮き袋を膨張させることを望むような状況と、大きな波や荒れた海のような予期しない危険が生じ、船舶から転落して水中にある使用者がガスシリンダを起動させることができる状況を示す図である。
【００４６】
浮き袋の形状により、泳ぐか又は頭部と水に十分な間隔が開いた状態で浮くことができるような浮力支持が、使用者に対して与えられる。
【００４７】
本発明には多数の利点があり、特に、
（ａ）本発明の浮力機能は、一般的な衣服として良好に隠すことができ、
（ｂ）保守及び修理のために浮き袋を取り外すことができ、衣服を分離して洗濯でき、
（ｃ）浮き袋の膨張は、口で、あるいは取り外し可能なガスシリンダの補助により水中で行うことができ、
（ｄ）本発明は、適度なコストで生産することができる。
【００４８】
本発明の態様を例示としてのみ説明したが、添付の請求の範囲で規定される本発明の範囲から離れることなく、本発明に対する変形及び付加が可能であることは明らかである。
【図面の簡単な説明】
【００４９】
【図１】本発明に係る浮力衣類の正面図。
【図２】図１の浮力衣類の背面図。
【図３】図１及び図２の浮力衣類用の浮き袋の平面図。
【図４】説明のために浮き袋を重ねた衣類を示す正面図。
【図５】着用者が浮き袋を自ら膨張させるか、膨張させるため水中でガスシリンダを可能させるかを選択する状況を示す斜視図。
【図６】着用者が浮き袋を自ら膨張させるか、膨張させるため水中でガスシリンダを可能させるかを選択する状況を示す斜視図。
【符号の説明】
【００５０】
１  シャツ
２  浮き袋（浮揚装置）
３  区画室
５  襟
６  胴
７  胸部
８  首囲繞部
９  一方向弁
１０  膨張ガス缶
１１  起動紐
１２  締付紐
１３  装飾ストライプ
【図１】
2005520060.tif 000003
【図２】
2005520060.tif 000004
【図３】
2005520060.tif 000005
【図４】
2005520060.tif 000006
【図５】
2005520060.tif 000007
【図６】
2005520060.tif 000008
【手続補正書】
【提出日】平成15年7月17日(2003.7.17)
【手続補正１】
【補正対象書類名】特許請求の範囲
【補正対象項目名】全文
【補正方法】変更
【補正の内容】
【特許請求の範囲】
【請求項１】
シャツと浮揚装置の組合せであって、
（ａ）連続する胴、襟、及びアームホールを備えるプルオーバー型のシャツと、
（ｂ）前記シャツの胸及び前後の襟領域を覆うインナーライニング又はアウターオーバーレイからなる区画室と、
（ｃ）前記区画室への出入りを提供するための手段と、
（ｄ）前記区画室に挿入するための浮き袋装置と、
（ｅ）前記シャツの着用者を浮揚支持するために、前記胴の胸の領域に配置された前記浮き袋を手動及び／又は自動で膨張させる手段と
を備える、組合せ。
【請求項２】
前記区画室への出入りは、前記区画室の周囲に位置する閉鎖可能な開口により提供される、請求項１に記載の組合せ。
【請求項３】
前記浮き袋は襟囲繞部と連通する２つの分離された胸部を備える、請求項１に記載の組合せ。
【請求項４】
前記浮き袋の前記襟囲繞部は平面視で前記胸部よりも幅狭である、請求項３に記載の組合せ。
【請求項５】
前記浮き袋の前部に、前記浮き袋を手動で膨張させるための弁と、ガスシリンダにより前記浮き袋を自動的に膨張させるためのアクチュエータとが設けられている、請求項１から請求項４のいずれか１項に記載の組合せ。
【請求項６】
前記弁及び前記アクチュエータは、ポケット又はフランジにより視界から隠されている、請求項５に記載の組合せ。
【請求項７】
前記シャツはティーシャツ又はポロシャツ型のシャツである、請求項１に記載の組合せ。
【請求項８】
前記区画室の直下に位置する引張装置の周囲に補足されたラップを備える、請求項１に記載の組合せ。
【請求項９】
前記引張装置は紐である、請求項８に記載の組合せ。
【請求項１０】
前記引張装置はストラップを含む、請求項８に記載の組合せ。
【国際調査報告】
2005520060.tif 000009
2005520060.tif 000010
2005520060.tif 000011